【手続補正書】
【提出日】平成29年9月8日(2017.9.8)
【手続補正１】
【補正対象書類名】明細書
【補正対象項目名】発明の名称
【補正方法】変更
【補正の内容】
【発明の名称】音声出力装置、音声出力方法、プログラム、およびサーバ装置
【手続補正２】
【補正対象書類名】明細書
【補正対象項目名】０００１
【補正方法】変更
【補正の内容】
【０００１】
本発明は、単語の発音を学習するのに適した音声出力装置、音声出力方法、およびその制御プログラム、サーバ装置に関する。
【手続補正３】
【補正対象書類名】明細書
【補正対象項目名】０００７
【補正方法】変更
【補正の内容】
【０００７】
本発明は、このような課題に鑑みなされたもので、単語を聞き取る力、発音する力をより効果的に習得することが可能になる音声出力装置、音声出力方法、およびその制御プログラム、サーバ装置を提供することを目的とする。
【手続補正４】
【補正対象書類名】明細書
【補正対象項目名】０００８
【補正方法】変更
【補正の内容】
【０００８】
本発明に係る音声出力装置は、単語毎に当該単語の模範音声を対応付けて記憶している単語音声記憶手段と、ユーザ操作に応じて前記単語音声記憶手段により記憶された単語の何れかを指定単語として指定する単語指定手段と、前記単語音声記憶手段により記憶された単語の中から、ユーザ操作に応じていずれかの単語を類似単語として設定する類似単語設定手段と、前記単語指定手段により指定された指定単語と前記類似単語設定手段により設定された類似単語それぞれのユーザ音声を登録するユーザ音声登録手段と、前記単語音声記憶手段により記憶された前記指定単語と前記類似単語それぞれの模範音声と前記ユーザ音声登録手段により登録された当該各単語それぞれのユーザ音声を出力する単語音声出力手段と、を備えたことを特徴としている。
【手続補正５】
【補正対象書類名】特許請求の範囲
【補正対象項目名】全文
【補正方法】変更
【補正の内容】
【特許請求の範囲】
【請求項１】
単語毎に当該単語の模範音声を対応付けて記憶している単語音声記憶手段と、
ユーザ操作に応じて前記単語音声記憶手段により記憶された単語の何れかを指定単語として指定する単語指定手段と、
前記単語音声記憶手段により記憶された単語の中から、ユーザ操作に応じていずれかの単語を類似単語として設定する類似単語設定手段と、
前記単語指定手段により指定された指定単語と前記類似単語設定手段により設定された類似単語それぞれのユーザ音声を登録するユーザ音声登録手段と、
前記単語音声記憶手段により記憶された前記指定単語と前記類似単語それぞれの模範音声と前記ユーザ音声登録手段により登録された当該各単語それぞれのユーザ音声を出力する単語音声出力手段と、
を備えたことを特徴とする音声出力装置。
【請求項２】
前記単語音声記憶手段により記憶された単語の中から前記単語指定手段により指定された指定単語と発音記号が類似する複数の単語を一覧表示させる類似単語一覧手段を備え、
前記類似単語設定手段は、前記類似単語一覧手段により一覧表示された複数の単語のうちから、ユーザ操作に応じていずれかの単語を類似単語として設定する、
ことを特徴とする請求項１に記載の音声出力装置。
【請求項３】
前記単語音声出力手段は、前記単語音声記憶手段により記憶された前記指定単語と前記類似単語それぞれの模範音声と前記ユーザ音声登録手段により登録された当該各単語それぞれのユーザ音声を指定の順序またはランダムに出力することを特徴とする請求項１又は請求項２に記載の音声出力装置。
【請求項４】
前記単語音声記憶手段により記憶された前記指定単語と前記類似単語それぞれの模範音声を前記ユーザ音声登録手段により登録された当該各単語それぞれのユーザ音声の音程または音色または速度に合わせた変換模範音声に修正する模範音声修正手段を備え、
前記単語音声出力手段は、前記模範音声修正手段により修正された前記指定単語と前記類似単語それぞれの変換模範音声と前記ユーザ音声登録手段により登録された当該各単語それぞれのユーザ音声を指定の順序またはランダムに出力する、
ことを特徴とする請求項１ないし請求項３の何れか１項に記載の音声出力装置。
【請求項５】
前記単語音声出力手段により出力された単語の音声について、その単語と前記模範音声かユーザ音声かの種別とを表示部に表示させる音声内容表示手段を備えたことを特徴とする請求項１ないし請求項４の何れか１項に記載の音声出力装置。
【請求項６】
外部の電子機器と通信する通信手段と、
前記ユーザ音声登録手段により登録された前記指定単語と前記類似単語それぞれのユーザ音声を前記通信手段により前記外部の電子機器に送信するユーザ音声送信手段と、
前記外部の電子機器から送信された前記指定単語と前記類似単語それぞれの外部ユーザ音声を前記通信手段により受信する外部ユーザ音声受信手段と、
前記外部ユーザ音声受信手段により受信された前記指定単語と前記類似単語それぞれの外部ユーザ音声と前記単語音声記憶手段により記憶された当該各単語それぞれの模範音声をランダムに出力する外部ユーザ対応単語音声出力手段と、
を備えたことを特徴とする請求項４に記載の音声出力装置。
【請求項７】
前記模範音声修正手段は、前記外部ユーザ音声受信手段により受信された前記指定単語と前記類似単語それぞれの外部ユーザ音声の音程または音色または速度に合わせて前記単語音声記憶手段により記憶された当該各単語それぞれの模範音声を変換模範音声に修正する外部ユーザ対応模範音声修正手段を有し、
前記外部ユーザ対応単語音声出力手段は、前記外部ユーザ対応模範音声修正手段により修正された前記指定単語と前記類似単語それぞれの変換模範音声と前記外部ユーザ音声受信手段により受信された当該各単語それぞれの外部ユーザ音声をランダムに出力する、
ことを特徴とする請求項６に記載の音声出力装置。
【請求項８】
音声出力部と音声入力部とを備える電子機器の音声出力方法であって、
単語毎に当該単語の模範音声を対応付けて記憶する単語音声記憶手段から、ユーザ操作に応じて、単語の何れかを指定単語として指定する単語指定ステップ、
前記単語音声記憶手段に記憶された単語の中から、ユーザ操作に応じていずれかの単語を類似単語として設定する類似単語設定ステップ、
前記単語指定ステップにより指定された指定単語と前記類似単語設定ステップにより設定された類似単語それぞれのユーザ音声を登録するユーザ音声登録ステップ、
前記単語音声記憶手段に記憶された前記指定単語と前記類似単語それぞれの模範音声と前記ユーザ音声登録ステップにより登録された当該各単語それぞれのユーザ音声を出力する単語音声出力ステップ、
とからなる音声出力方法。
【請求項９】
電子機器のコンピュータを制御するためのプログラムであって、
前記コンピュータを、
単語毎に当該単語の模範音声を対応付けて記憶する単語音声記憶手段、
ユーザ操作に応じて前記単語音声記憶手段により記憶された単語の何れかを指定単語として指定する単語指定手段、
前記単語音声記憶手段により記憶された単語の中から、ユーザ操作に応じていずれかの単語を類似単語として設定する類似単語設定手段、
前記単語指定手段により指定された指定単語と前記類似単語設定手段により設定された類似単語それぞれのユーザ音声を登録するユーザ音声登録手段、
前記単語音声記憶手段により記憶された前記指定単語と前記類似単語それぞれの模範音声と前記ユーザ音声登録手段により登録された当該各単語それぞれのユーザ音声を出力する単語音声出力手段、
として機能させるためのプログラム。
【請求項１０】
ユーザ端末と通信ネットワークを介して接続されるサーバ装置であって、
単語毎に当該単語の模範音声を対応付けて記憶する単語音声記憶手段と、
前記単語音声記憶手段により記憶された単語の何れかを前記ユーザ端末におけるユーザ操作に応じて指定単語として指定させる単語指定手段と、
前記単語音声記憶手段により記憶された単語の中から、ユーザ操作に応じていずれかの単語を類似単語として設定する類似単語設定手段と、
前記単語指定手段により指定された指定単語と前記類似単語設定手段により設定された類似単語それぞれのユーザ音声を前記ユーザ端末から受信して登録するユーザ音声登録手段と、
前記単語音声記憶手段により記憶された前記指定単語と前記類似単語それぞれの模範音声と前記ユーザ音声登録手段により登録された当該各単語それぞれのユーザ音声を前記ユーザ端末に送信して出力させる単語音声出力手段と、
を備えたことを特徴とするサーバ装置。